(57)【要約】【課題】選択された長さ対重量比を有するゴルフクラブを提供する。【解決手段】ゴルフクラブは、シャフト及びクラブヘッドを含むことができる。クラブは、シャフトの長さとクラブの総重量とに基づいて選択された長さ対重量比を有し得る。クラブヘッドは、クラブヘッド及び／又はクラブヘッドの周囲の運動重量を軽くするために選択的な重量除去部を有する一つ以上の領域を含むことができる。【選択図】図１
2013031629.tif 000002
【特許請求の範囲】
【請求項１】
ゴルフクラブであって、
シャフト長さを有する細長いシャフトであって、グリップ長さを有するグリップ部分を備える細長いシャフトと、
前記細長いシャフトの遠位端に取り付けられたクラブヘッドとを備え、
該ゴルフクラブが合計のクラブ重量を有し、
前記合計のクラブ重量に対する前記シャフト長さの比率が約０．４３２ｃｍ（０．１７０ｉｎ）／ｇ〜０．４７０ｃｍ（０．１８５ｉｎ）／ｇである、ゴルフクラブ。
【請求項２】
前記シャフト長さが約１１９．３８ｃｍ（４７ｉｎ）〜１２４．４６ｃｍ（４９ｉｎ）である、請求項１に記載のゴルフクラブ。
【請求項３】
前記グリップ長さが約２１．５９ｃｍ（８．５ｉｎ）〜２４．１３ｃｍ（９．５ｉｎ）である、請求項１に記載のゴルフクラブ。
【請求項４】
前記合計のクラブ重量が約２６５ｇ〜２７５ｇである、請求項１に記載のゴルフクラブ。
【請求項５】
前記シャフト長さが約１２１．９２ｃｍ（４８ｉｎ）であり、前記合計のクラブ重量が約２６９ｇである、請求項１に記載のゴルフクラブ。
【請求項６】
前記グリップ長さが約２２．８６ｃｍ（９ｉｎ）である、請求項１に記載のゴルフクラブ。
【請求項７】
前記シャフトが約５０ｇの重量を有する、請求項１に記載のゴルフクラブ。
【請求項８】
前記グリップが約２４ｇの重量を有する、請求項１に記載のゴルフクラブ。
【請求項９】
前記クラブヘッドが、クラウン部分、ソール部分、及びボール打撃部分を備え、前記クラウン部分、ソール部分及びボール打撃部分が前記クラブヘッド内の内部容積を形成し、
前記ソール部分が、前記内部容積に面する内側面を有する壁を備え、前記壁が、第１の壁厚を有する第１壁区域と、第２の壁厚を有する第２壁区域とを備え、前記第２の壁厚が前記第１の壁厚未満であり、前記内側面が、前記第２壁区域に沿って隆起することなく前記第１及び第２壁区域にわたって連続して概ね滑らかなままである、請求項１に記載のゴルフクラブ。
【請求項１０】
前記クラブヘッドが、幾何学的中心点を有するボール打撃部分を含み、前記クラブヘッドが、前記幾何学的中心点を基準として第１の方向に約１．８３ｍｍに、前記幾何学的中心点を基準として第２の方向に約３７．４ｍｍに、及び前記幾何学的中心点を基準として第３の方向に約−１．５ｍｍに配置されるクラブヘッドの重心を含む、請求項１に記載のゴルフクラブ。
【発明の詳細な説明】
【技術分野】
【０００１】
本出願は、概ねゴルフクラブに関し、特に、特定の長さ対重量比を有するゴルフクラブに関する。
【背景技術】
【０００２】
ゴルフクラブヘッドは、例えばウッドタイプ又はメタルウッドタイプ（ドライバー及びフェアウェイウッドを含む）、アイアンタイプ（ウェッジタイプのクラブヘッドを含む）、ユーティリティタイプ又はスペシャリティタイプ、及びパタータイプのクラブヘッドなどの多くの異なる形状及び構造で提供されている。
【０００３】
ゴルフクラブの設計及び製造は、クラブヘッドの構造に対する細心の注意を必要とするだろう。多くの要因の中で考慮できる要因は、材料の選択、材料の処理、構造的な一体性、及び全体的な幾何学的設計である。典型的な幾何学的設計に関して考慮されることは、ロフト角、ライ角、フェース角、水平方向のフェースのバルジ、垂直方向のフェースのロール、フェースのサイズ、ソールの曲率、重心、慣性モーメント、及びヘッドの全重量である。例えばホーゼル又はその他のシャフト取付構造、クラブヘッドのフェース又は本体の周囲への重み付け、及び／又は中空クラブヘッド内の充填材を含むことによって特定の特性を達成するように、クラブヘッドの内部設計を調整することができる。
【０００４】
より大きな飛距離を提供するゴルフクラブ、特にドライバーを常に探し求めているゴルファーに対し、ゴルフ業界は、特に距離を念頭に置いて特別に設計されたゴルフクラブを提供することによって対応してきた。ウッドタイプのゴルフクラブのヘッドサイズは増大してきており、そのことが質量操作の改善を可能にしてきた。質量を操作することは、設計者が、さらに寛大なゴルフクラブを提供するために、例えば慣性モーメント及び重心の位置などの特質を変化させることを可能にする。特に、より大きな慣性モーメントを提供することは、ゴルフボールの不完全なインパクト時のねじれに負けないゴルフクラブヘッドの能力を増大させる。さらに、ゴルフクラブヘッドのサイズは、重心の配置に関してより大きな選択の自由度を可能にする。
【発明の概要】
【０００５】
本明細書に記載した実施形態の少なくとも一つの様相は、より大きな飛距離を提供するゴルフクラブ、特にドライバーを常に探し求めているゴルファーに対し、速いスイング速度を比較的容易に生成することができて、インパクト時にボールが最適な距離を飛ぶことができるように、軽量でありかつ長さが長いゴルフクラブを有することが有利であることを実感させることを含んでいる。
【０００６】
したがって、一実施形態によると、ゴルフクラブヘッドは、シャフト長さを有する細長いシャフトであって、グリップ長さを有するグリップ部分を備える細長いシャフトと、細長いシャフトの遠位端に取り付けられたクラブヘッドとを備えることができ、この場合、ゴルフクラブは合計のクラブ重量を有し、合計のクラブ重量に対するシャフト長さの比率は約０．４３２ｃｍ（０．１７０ｉｎ）／ｇ〜０．４７０ｃｍ（０．１８５ｉｎ）／ｇである。
【０００７】
本発明の実施形態の上記及び他の特徴と利点は、次の詳細な説明を読めば、また実施形態の添付図面を参照してより明白になるであろう。
【図面の簡単な説明】
【０００８】
【図１】一実施形態によるゴルフクラブの斜視図である。
【図２】図１のゴルフクラブのクラブヘッドの斜視図である。
【図３】図１のゴルフクラブのクラブヘッドの前面図である。
【図４】図１のゴルフクラブのクラブヘッドの頂面図である。
【図５】図１のゴルフクラブのクラブヘッドのヒール側面図である。
【図６】図１のゴルフクラブのクラブヘッドの底面図である。
【図７】図２のクラブヘッドのソール部分の図６の切断線７−７に沿う部分断面図である。
【発明を実施するための形態】
【０００９】
本出願は、ゴルフクラブに関し、特に、特定の長さ対重量比を有するゴルフクラブに関するものである。ここに開示した実施形態はウッドタイプクラブ用のクラブヘッドを含むが、ここに記載した構想の一つ以上を、アイアン及びパターを含むがそれらに限定されないさらに他のタイプのクラブヘッドに使用できることが考えられる。
【００１０】
図１を参照すると、ゴルフクラブ１０は細長いシャフト１２を備えることができる。細長いシャフト１２は細長いグリップ部分１４を含むことができ、これによって、グリップ部分は、ここに記載されて定義されたシャフト１２の一部を形成する。ゴルフクラブ１０は、シャフト１２の遠位端に取り付けられたクラブヘッド１６をさらに備えることができる。クラブヘッド１６は、ボール打撃部分１８、クラウン部分２０、及びソール部分２２を備えることができる。
【００１１】
図１〜図３を参照すると、ボール打撃部分１８は、例えばゴルフボールを打つように概ね構成されたクラブヘッド１６の任意の部分を備えることができる。ボール打撃部分１８は、クラブヘッド１６の前部分を備えることができる。ある実施形態では、ボール打撃部分１８は、ノッチ、スコアライン、及び／又はゴルフクラブヘッドに一般的な他のマーキングを有し得る。ある実施形態では、ボール打撃部分１８は、クラブヘッド１６の少なくとも一部分に取り付けることができるか、又はそれと一体形成することができる。ある実施形態では、ボール打撃部分１８は、一つ又は複数のフェースインサートを備えることができる。
【００１２】
図１、図２及び図４を参照すると、クラウン部分２０は、例えば、クラブヘッド１６の最上部を含むことができる。ある実施形態では、クラウン部分２０は、ボール打撃部分１８に接続されるか又はそれと一体形成されたクラブヘッド１６の部分を含むことができる。ある実施形態では、クラウン部分２０の少なくとも一部分は、ゴルフクラブヘッド１６がアドレス位置にあるときにゴルファーによって観測されるように構成することができる。ある実施形態では、クラウン部分２０は、一つ以上のインサートを備えることができる。
【００１３】
図１、図２及び図５を参照すると、ソール部分２２は、例えばクラブヘッド１６の底部分を含むことができる。ソール部分２２は、ボール打撃部分１８に接続されるか又はそれと一体形成されたクラブヘッド１６の部分を含むことができる。ある実施形態では、ソール部分２２の少なくとも一部分は、ゴルフクラブ１０がアドレス位置にあるときにプレー表面又は地表面に接触するように構成することができる。ある実施形態では、ソール部分２２は、一つ以上のインサートを備えることができる。
【００１４】
図１、図２及び図６を参照すると、ある実施形態では、クラブヘッド１６は、概ねクラウン部分２０とソール部分２２との間に延びるスカート領域２４を更に含むことができる。スカート領域２４は、クラウン部分２０及びソール部分２２の要素とは別個の要素を備えることができるか、あるいは例えばクラウン部分２０及びソール部分２２の一つ以上の部分から形成することができる。ある実施形態では、クラブヘッド１６は、クラウン部分２０及びソール部分２２のみを有し、スカート領域２４を有さないとみなされる。例えば、ある実施形態では、クラウン部分２０は、ソール部分２２に直接延びかつソール部分２２に接合することができる。
【００１５】
図１及び図２を引き続き参照すると、クラブヘッド１６はホーゼル２６を備えることができる。ホーゼル２６は、シャフト１２を受容及び／又は保持するように構成することができる。例えば、ホーゼル２６は、シャフト１２を挿入できる開口部を備えることができる。
【００１６】
クラブヘッド１６は、チタンから製造できるが、他の材料又は材料の組み合わせも可能である。ある実施形態では、ボール打撃部分１８を含めて、クラブヘッド１６の全て又は相当部分をチタンから構成することができる。ある実施形態では、ボール打撃部分１８の部分又は全てをチタン８−１１から構成することができる。
【００１７】
図１を参照すると、ある実施形態では、クラブ１０はドライバーを備えることができる。ゴルフクラブシャフト１２は全長「ＳＬ」を有する。長さＳＬは、例えば図１に示したように、グリップ１４の近位端からホーゼル２６の近位端までの長さと定義される。ある実施形態では、シャフト長さＳＬは、約１２１．９２ｃｍ（４８ｉｎ）であり得るが、他の値及び範囲も可能である。例えば、ある実施形態では、シャフト長さＳＬは、約１１９．３８ｃｍ（４７ｉｎ）であり得る。ある実施形態では、シャフト長さＳＬは、約１１６．８４ｃｍ（４６ｉｎ）であり得る。ある実施形態では、シャフト１２は、約１２０．６５〜１２３．１９ｃｍ（４７．５〜４８．５ｉｎ）の長さを有し得る。ある実施形態では、シャフト１２は、約１１９．３８〜１２４．４６ｃｍ（４７〜４９ｉｎ）の長さＳＬを有し得る。ある実施形態では、シャフト１２は、約１１６．８４〜１２７ｃｍ（４６〜５０ｉｎ）の長さＳＬを有し得る。ある実施形態では、シャフト１２は、約１０６．６８〜１３７．１６ｃｍ（４２〜５４ｉｎ）の長さＳＬを有し得る。
【００１８】
ゴルフクラブ１０がドライバーと対照的にフェアウェイクラブである場合、ある実施形態では、シャフト１２は僅かにより短い。例えば、クラブ１０は、約１１１．７６ｃｍ（４４ｉｎ）の全長ＳＬを有するシャフト１２を有し得るが、他の値及び範囲も可能である。例えば、ある実施形態では、シャフト長さＳＬは、約１０９．２２ｃｍ（４３ｉｎ）であり得る。ある実施形態では、シャフト１２は、約１０９．２２〜１１４．３ｃｍ（４３〜４５ｉｎ）の長さＳＬを有し得る。
【００１９】
全体的に、シャフト１２の長さは、典型的な対応するクラブよりも長く作ることができる。例えば、ドライバーは、典型的に、１１４．３ｃｍ（４５ｉｎ）〜１１６．８４ｃｍ（４６ｉｎ）の範囲のシャフト長さを有し、フェアウェイウッドは、典型的に、約１０９．２２ｃｍ（４３ｉｎ）のシャフト長さを有する。
【００２０】
図１を引き続き参照すると、ゴルフクラブ１０がドライバーである実施形態では、グリップ部分１４を含むシャフト１２は、約５０ｇの総重量を有し得るが、他の値及び範囲も可能である。例えば、ある実施形態では、シャフト１２は、約４９〜５１ｇの重量を有し得る。ある実施形態では、シャフト１２は、約４８〜５２ｇの重量を有し得る。ある実施形態では、シャフト１２は、約４５〜５５ｇの重量を有し得る。ある実施形態では、シャフト１２は、約４５〜６５ｇの重量を有し得る。ある実施形態では、シャフト１２は、約４５〜７５ｇの重量を有し得る。ある実施形態では、シャフト１２は、約４５〜８５ｇの重量を有し得る。ある実施形態では、シャフト１２は、少なくとも部分的に炭素から製造できるが、他の材料も可能である。
【００２１】
図１を引き続き参照すると、グリップ部分１４それ自体は、シャフト１２に沿って、約２２．８６ｃｍ（９ｉｎ）の全長「ＧＬ」を有し得るが、他の長さも可能である。例えば、ある実施形態では、グリップ部分１４は、約２１．５９〜２４．１３ｃｍ（８．５〜９．５ｉｎ）の長さを有し得る。ある実施形態では、グリップ部分１４は、約２０．３２〜２５．４ｃｍ（８．０〜１０．０ｉｎ）の長さを有し得る。
【００２２】
ある実施形態では、グリップ部分１４の長さは、一般に約２６．６７ｃｍ（１０．５ｉｎ）の長さである他のクラブの典型的なグリップ長さよりも短くなるように特に製造することができる。グリップ部分１４のこのより短い長さは、シャフト１２の総重量を低減して、クラブをより軽くすることに役立つのみならず、クラブ１０を把持するグリップ部分１４に沿った領域がより小さいため、ゴルファーがクラブ１０のグリップ部分１４を短く持つことを妨げることもできる。ゴルファーがクラブ１０を短く持つことを妨げることは、一部のゴルファーには有利であり得る。同様に、同一の位置を毎回把持するようにプレーヤーを強制することは、より大きな一貫性のためのボールに対するより一貫したアドレスを可能にし得る。
【００２３】
図１を引き続き参照すると、グリップ部分１４それ自体は、約２４ｇの重量を有し得るが、他の値及び範囲も可能である。例えば、ある実施形態では、グリップ部分１４は、約２２〜２６ｇの重量を有し得る。ある実施形態では、グリップ部分１４は、約２０〜２８ｇの重量を有し得る。
【００２４】
ある実施形態では、シャフト１２の部分又は全ては、クラブ１０に対し空気力学の増大、及び／又はクラブ１０がスイングされるときの抗力低減を提供できる一つ又は複数の材料被覆を含むことができる。
【００２５】
図１〜図６を参照すると、クラブヘッド１６のボール打撃部分１８、クラウン部分２０及びソール部分２２は、クラブヘッド１６内の内部容積を形成することができる。特にドライバーであるクラブ１０用の内部容積は約４４０ｃｃであり得るが他の値も可能である。例えば、ある実施形態では、クラブヘッド１６の内部容積は、約４３５ｃｃ〜４４５ｃｃの範囲に有り得る。ある実施形態では、クラブヘッド１６の内部容積は、約４３０ｃｃ〜４５０ｃｃの範囲に有り得る。ある実施形態では、クラブヘッド１６の容積は、約４００ｃｃ〜４８０ｃｃの範囲に有り得る。ある実施形態では、クラブヘッド１６の容積は、約３５０ｃｃ〜５３０ｃｃの範囲に有り得る。
【００２６】
ゴルフクラブ１０がフェアウェイクラブである実施形態では、クラブヘッド１６は、約２３９ｃｃのクラブヘッド容積を有し得るが、他の値及び範囲も可能である。例えば、ある実施形態では、クラブヘッド１６は、約２３５ｃｃ〜２４５ｃｃの容積を有し得る。ある実施形態では、クラブヘッド１６は、約２３０ｃｃ〜２４０ｃｃの容積を有し得る。ある実施形態では、クラブヘッド１６は、約２００ｃｃ〜２７０ｃｃの容積を有し得る。ある実施形態では、クラブヘッド１６は、約２００ｃｃ〜３００ｃｃの容積を有し得る。
【００２７】
図１を引き続き参照すると、ゴルフクラブ１０がドライバーである、ある実施形態では、ゴルフクラブ１０は、シャフト１２及びクラブヘッド１６の重量を含む約２６９ｇの総重量を有し得るが、他の値及び範囲も可能である。例えば、ゴルフクラブ１０がドライバーである実施形態では、クラブ１０は、約２５０〜２９０ｇの総重量を有し得る。ある実施形態では、クラブ１０は、約２３０〜３５０ｇの総重量を有し得る。
【００２８】
ゴルフクラブ１０がフェアウェイクラブである実施形態では、ゴルフクラブ１０は、シャフト１２及びクラブヘッド１６の重量を含む、ドライバーの重量よりも僅かに大きい総重量を有し得る。例えば、ある実施形態では、ゴルフクラブ１０は、ドライバーのクラブヘッド重量よりも約１０〜２０ｇ大きいクラブヘッド重量を有し得る。
【００２９】
ある実施形態では、クラブヘッド１６は、クラブ総重量の少なくとも５０％を含むことができる。ある実施形態では、クラブヘッド１６は、クラブ総重量の少なくとも６０％を含むことができる。ある実施形態では、クラブヘッド１６は、クラブ総重量の少なくとも７０％を含むことができる。ある実施形態では、クラブヘッド１６は、クラブ総重量の少なくとも８０％を含むことができる。ある実施形態では、クラブヘッド１６は、クラブ総重量の少なくとも９０％を含むことができる。
【００３０】
ある実施形態では、クラブ１０は、クラブ１０の総重量と比較したシャフト１２の長さとして定義される好ましい長さ対重量比を有し得る。クラブ１０がドライバーである実施形態では、長さ対重量比は、約０．４５２ｃｍ（０．１７８ｉｎ）／ｇであり得るが、他の値及び範囲も可能である。例えば、ある実施形態では、長さ対重量比は、約０．４３２ｃｍ（０．１７０ｉｎ）／ｇ〜０．４７０ｃｍ（０．１８５ｉｎ）／ｇである。ある実施形態では、長さ対重量比は、約０．４３２ｃｍ（０．１７０ｉｎ）／ｇ〜０．４８３ｃｍ（０．１９０ｉｎ）／ｇである。ある実施形態では、長さ対重量比は、少なくとも０．４３２ｃｍ（０．１７０ｉｎ）／ｇである。ある実施形態では、長さ対重量比は、少なくとも０．４４５ｃｍ（０．１７５ｉｎ）／ｇである。ある実施形態では、長さ対重量比は、少なくとも０．４５７ｃｍ（０．１８０ｉｎ）／ｇである。ある実施形態では、長さ対重量比は、少なくとも０．４７０ｃｍ（０．１８５ｉｎ）／ｇである。ある実施形態では、長さ対重量比は、少なくとも０．４８３ｃｍ（０．１９０ｉｎ）／ｇである。ある実施形態では、長さ対重量比は、例えば、０．５０８ｃｍ（０．２００ｉｎ）／ｇ以下である。
【００３１】
図６及び図７を参照すると、ある実施形態では、クラブヘッド１６は、ボール打撃部分１８、クラウン部分２０及びソール部分２２の一つ以上から選択的に重量を除去するように設計することができる。クラブヘッド１６の一つの部分から重量を選択的に除去することにより、クラブヘッド１６の重心を有利に調整するように、及び／又はクラブヘッド１６に関する慣性モーメントを調整するように、クラブヘッド１６の他の部分に重量を移動することが可能になる。ある実施形態では、選択的な重量除去は、主に、クラブヘッド１６の総重量を軽くしてクラブの総重量をより軽くし、上述したようにより大きなスイング速度を促進するために活用されることができる。
【００３２】
例えば、また図５〜図７を参照して説明すると、ある実施形態では、ソール部分２２又はクラブヘッド１６の他の部分は、少なくとも一つの重量除去区域２８を備えることができる。重量除去区域２８は、クラブヘッド１６の外側及び／又は内側に形成することができる。重量除去区域２８は、クラブヘッド１６に設けられた溝、ポケット、又は他の任意の同様のタイプの構造的な凹部の形態であり得る。図７を参照すると、ある実施形態では、クラブヘッド１６は、クラブヘッド１６の内部容積に面する内側面３２とクラブヘッド１６の外側に面する外側面３４とを有する壁３０を備えることができる。壁３０は、第１の壁厚「ｔ１」を有する第１壁区域３６と、重量除去区域２８の領域に第２の壁厚「ｔ２」を有する第２壁区域３８とを備えることができる。第２の壁厚ｔ２は、第１の壁厚ｔ１より小であり得る。ある実施形態では、内側面３２は、第２壁区域３８に沿って隆起することなく第１壁区域３６及び第２壁区域３８にわたって連続して概ね滑らかなままである。例えば、図７に示したように、クラブヘッド１６の内側は滑らかなままであることが可能である。このことは、例えばクラブヘッド１６のソール部分２２に沿った凹み又は隆起部分と対照的である。ある実施形態では、ソール部分２２（又はクラブヘッド１６の他の部分）は、内側に概ね連続的な湾曲面又は平坦面３４を有することができ、及び材料の選択的な除去は、クラブヘッド１６の外側で行うことができ、異なる厚さｔ１とｔ２をクラブヘッドに付与する。他の実施形態では、ソール部分２２の外側面（又はクラブヘッド１６の他の部分）は、概ね連続的な湾曲面又は平坦面のままであることができ、材料の除去はその代わりに内側面３２で行うことができる。
【００３３】
ある実施形態では、厚さｔ１は約０．８５ｍｍであり得るが、他の値及び範囲も可能である。例えば、ある実施形態では、厚さｔ１は、約０．８２ｍｍ〜０．８８ｍｍの範囲にあり得る。ある実施形態では、厚さｔ１は、約０．８０ｍｍ〜０．９０ｍｍの範囲にあり得る。ある実施形態では、厚さｔ１は、約０．６０ｍｍ〜１．２ｍｍの範囲にあり得る。
【００３４】
ある実施形態では、より小さい厚さｔ２は約０．７０ｍｍであり得るが、他の値及び範囲も可能である。例えば、ある実施形態では、厚さｔ２は、約０．６７ｍｍ〜０．７３ｍｍの範囲にあり得る。ある実施形態では、厚さｔ２は、約０．６５ｍｍ〜０．７５ｍｍの範囲にあり得る。ある実施形態では、厚さｔ２は、約０．６０ｍｍ〜１．０ｍｍの範囲にあり得る。
【００３５】
材料の選択的な除去は、概ね図７のソール部分２２に沿って示されているが、このような除去は、クラブヘッド１６の他の部分にも行うことができる。例えば、ある実施形態では、クラブヘッド１６は、例えば図６に示したように、ソール部分２２の外側エッジに沿って一つ以上の重量除去領域２８を含むことができる。ある実施形態では、クラブヘッド１６は、スカート２４及び／又はクラウン２０に沿って一つ以上の重量除去領域２８を含むことができる。ある実施形態では、クラブヘッド１６は、一つ以上の重量除去領域２８を有するボール打撃部分１８を含むことができる。ある実施形態では、ボール打撃部分１８に沿って材料を選択的に除去することによって、異なる厚さの区域を少なくとも部分的に形成することができる。例えばある実施形態では、ボール打撃部分１８は、クラブヘッド１６の内部容積に向かって延びる厚い集中部分と、集中部分を取り囲む他の区域とを含み、変化する厚さを有することができる。
【００３６】
ある実施形態では、クラブ１０は、クラブヘッド１６の外側面に形成された全ての凹部（例えば重量除去領域２８）の容積の和として定義されたクラブヘッドの合計凹部容積を有し得る。ある実施形態では、クラブ１０は、クラブヘッド１６のソールに形成された全ての凹部（例えば重量除去領域２８）の容積の和として定義されたソールの合計凹部容積を有し得る。ある実施形態では、クラブヘッドの合計凹部容積及び／又はソールの合計凹部容積は、少なくとも１ｃｃであり得る。ある実施形態では、クラブヘッドの合計凹部容積及び／又はソールの合計凹部容積は、少なくとも５ｃｃであり得る。ある実施形態では、クラブヘッドの合計凹部容積及び／又はソールの合計凹部容積は、少なくとも１０ｃｃであり得る。ある実施形態では、クラブヘッドの合計凹部容積及び／又はソールの合計凹部容積は、少なくとも２０ｃｃであり得る。ある実施形態では、クラブヘッドの合計凹部容積及び／又はソールの合計凹部容積は、約１ｃｃ〜５ｃｃであり得る。ある実施形態では、クラブヘッドの合計凹部容積及び／又はソールの合計凹部容積は、約１０ｃｃ〜２０ｃｃであり得る。
【００３７】
図３〜図５を参照すると、クラブヘッド１６はまた、ボール打撃部分１８に沿う幾何学的な中心点「ＧＣ」に基づく重心を含むことができる。幾何学的な中心点は、ボール打撃部分１８の概ね中心にあるように、クラブのトーとヒール端部との間から等距離、かつボール打撃部分１８の頂部及び底部から等距離の点であり得る。上述のように、重心は、クラブヘッド１６内の選択的な質量移動に基づいて、調整しかつ移動することができる。有利には、重心は、クラブ１０をより寛容なクラブにするとともに、スイング速度の増大をクラブに付与するように、ボール打撃部分１８から後方に移動され得る。
【００３８】
ある実施形態では、また図３と図４を参照すると、重心は、幾何学的な中心点ＧＣに結び付けられたＸ、Ｙ、Ｚ座標系に基づいて配置することができる。重心は、クラブのロフトに基づいて調整することができる。ある実施形態では、クラブ１０は、約１．８３ｍｍのＸ値、約３７．４ｍｍのＹ値、及び約−１．５ｍｍのＺ値に配置された重心を有し得る。ある実施形態では、重心は、約１．８５ｍｍのＸ値、約３７．２６ｍｍのＹ値、及び約−２．３ｍｍのＺ値に配置することができる。ある実施形態では、重心は、約２．００ｍｍのＸ値、約３７．４ｍｍのＹ値、及び約−３．３ｍｍのＺ値に配置することができる。ある実施形態では、重心は、約１．７〜２．１ｍｍのＸ値、約３７．０〜３８．０ｍｍのＹ値、及び約−１．０〜−４．０ｍｍのＺ値に配置することができる。他の値及び範囲も可能である。
【００３９】
ある実施形態では、クラブヘッド１６は、クラブヘッドが水平面のアドレス位置にあるときにクラブヘッド１６の上方に投影された概ね水平の平面として定義された占有面積を有することができ、前記平面は、クラブヘッド１６の対応する前縁からクラブヘッド１６の後尾縁に延びる。ある実施形態では、重心は、前記投影された平面の前縁部分から後尾縁に向かって約３８ｍｍ後方に配置することができるが、他の値及び範囲も可能である。例えば、ある実施形態では、重心は、前記投影された平面の前縁部分から約３７ｍｍ〜３９ｍｍ後方に配置することができる。ある実施形態では、重心は、投影された平面の前縁部分から約３５ｍｍ〜４１ｍｍ後方に配置することができる。ある実施形態では、重心は、前縁から後尾縁に向かって戻る行程の少なくとも約６０％に配置することができる。ある実施形態では、重心は、前縁から後尾縁に向かって戻る行程の少なくとも約７０％に配置することができる。ある実施形態では、重心は、前縁から後尾縁に向かって戻る行程の少なくとも約８０％に配置することができる。ある実施形態では、重心は、前縁から後尾縁に向かって戻る行程の少なくとも約９０％に配置することができる。
【００４０】
上述したように、クラブ１０は、他の同様のクラブと比較して軽量の長いクラブを備えることができ、高いスイング速度を生じることができる。例えば、軽量の、長いシャフト１２及びクラブヘッド１６により、ゴルファーは、容易にかつ素早くクラブ１０をスイングすることができ、クラブヘッド１６がゴルフボールを打つときに大きなスイング速度及び力を生じる。このことは、クラブヘッド１６が選択的な重量除去により設計されて、クラブヘッドの重心が、上述したように、クラブヘッドの後部の方に配置される場合に特に当てはまる。クラブ１０の大きな長さ対重量比は、クラブ１０がドライバー又はフェアウェイタイプのクラブであるか否かにかかわらず、他の対応するクラブに対する利点をクラブ１０に付与することができる。
【００４１】
例えば、ドライバーの形態のクラブ１０の実施形態が、約１１８．１１ｃｍ（４６．５ｉｎ）のシャフト長さ及び約２７９ｇのクラブ合計重量を有する競合対象のドライバーに対して試験された。試験中、クラブ１０は、競合対象のクラブに対し約４．５７ｍ（５．０ヤード）の統計学的に大きな飛距離の増加を示した。クラブ１０は、競合対象のクラブに対し約４８．２８ｋｍ／ｈ（３．０ｍｐｈ）の統計学的に大きなボール速度の増加を示した。クラブ１０は、試験をした９人のプレーヤーの内の７人について打ち上げ角度の増加を示した。クラブ１０は、試験をした９人のプレーヤーの内の６人についてバックスピンの増加を示した。この試験は、大きな長さ対重量比のクラブ１０を所有する有効性、及び所有することによって達成される利点の少なくとも幾つかの証明に役立った。
【００４２】
上述したような、典型的なシャフトよりも長いシャフトのクラブ１０を所有するのではなく、ある実施形態では、クラブ１０は普通よりも短いシャフトであり得る。例えば、ある実施形態では、クラブ１０は、約１０９．２２ｃｍ（４３ｉｎ）、又は１０９．２２ｃｍ（４３ｉｎ）未満、１０４．１４ｃｍ（４１ｉｎ）未満、又は９９．０６ｃｍ（３９ｉｎ）未満しかない長さのシャフトを有し得る。ある実施形態では、クラブ１０は、より短いシャフトと共に、典型的なヘッドよりも重いヘッドを有し得る。
【００４３】
ある好ましい実施形態及び実施例に関連して、これらの発明を開示してきたが、本発明は、具体的に開示した実施形態を越えて、本発明の他の代替実施形態及び／又は使用、及び明白な修正及びそれらの等価物に敷衍することが当業者によって理解されるであろう。さらに、本発明のいくつかの変形を図示しかつ詳細に説明してきたが、本発明の範囲内にある他の修正は、本開示に基づいて当業者には容易に明白であろう。同様に、実施形態の特定の特徴及び形態の様々な組み合わせ又は下位組み合わせを作成することができ、なお本発明の範囲内に含まれることが考えられる。開示した本発明の様々なモードを形成するために、開示した実施形態の様々な特徴及び形態を相互に組み合わせるか又は置換できることを理解すべきである。したがって、本明細書に開示した本発明の少なくともあるものの範囲は、開示した上述の特定の実施形態によって限定されるべきでないことが意図される。
【図１】
2013031629.tif 000003
【図２】
2013031629.tif 000004
【図３】
2013031629.tif 000005
【図４】
2013031629.tif 000006
【図５】
2013031629.tif 000007
【図６】
2013031629.tif 000008
【図７】
2013031629.tif 000009